(57)【要約】  システム全体の周波数利用効率を改善することを課題とする。この課題を解決するために、データチャネルが割当てられるデータチャネル領域と、制御チャネルが割り当てられる制御チャネル領域とを有する帯域を複数用いて端末装置との間で無線データ通信を行う基地局において、複数の前記帯域のうちのいずれかの帯域における制御チャネル領域内であって、前記端末装置に対して割り当てるデータチャネルが属する帯域に応じた位置に、前記端末装置に対する制御チャネルを割当てる制御チャネル割当て部と、前記制御チャネル割当て部により割当てられた位置で前記制御チャネルを前記端末装置へ送信する制御チャネル送信部とを備える。
2010050036.tif 000002
【特許請求の範囲】
【請求項１】
データチャネルが割当てられるデータチャネル領域と、制御チャネルが割り当てられる制御チャネル領域とを有する帯域を複数用いて端末装置との間で無線データ通信を行う基地局において、
複数の前記帯域のうちのいずれかの帯域における制御チャネル領域内であって、前記端末装置に対して割り当てるデータチャネルが属する帯域に応じた位置に、前記端末装置宛の制御チャネルを割当てる制御チャネル割当て部と、
前記制御チャネル割当て部により割当てられた位置で前記制御チャネルを前記端末装置へ送信する制御チャネル送信部と
を備えることを特徴とする基地局。
【請求項２】
前記制御チャネル割当て部は、前記端末装置宛の制御チャネルを、当該端末装置による各前記制御チャネルの検出順序が各前記制御チャネルに対応する帯域の周波数帯域の順序と一致するように、複数の前記帯域のうちのいずれかの帯域における制御チャネル領域に割当てることを特徴とする請求項１に記載の基地局。
【請求項３】
前記制御チャネル割当て部は、各前記制御チャネルに対応する帯域の周波数帯域の順序を、前記端末装置宛の制御チャネルが割当てられる帯域を起点とした各前記帯域の周波数帯域の昇順又は降順とすることを特徴とする請求項２に記載の基地局。
【請求項４】
前記制御チャネル割当て部は、前記端末装置による各前記制御チャネルの検出順序として、最も高い／低い周波数帯域を持つ前記帯域に対応する制御チャネルの次に前記端末装置が検出する制御チャネルを、最も低い／高い周波数帯域を持つ帯域に対応する制御チャネルとすることを特徴とする請求項３に記載の基地局。
【請求項５】
複数の前記帯域の中から、一の前記端末装置宛のデータチャネルを割当てる帯域を、当該端末装置宛の制御チャネルが割当てられる帯域を起点とした各前記帯域の周波数帯域の昇順又は降順に決定するキャリア決定部を有することを特徴とする請求項１に記載の基地局。
【請求項６】
前記キャリア決定部は、各前記データチャネルを割当てる各帯域の通信状況に応じて、各前記データチャネルを割当てる帯域を変更することを特徴とする請求項５に記載の基地局。
【請求項７】
前記制御チャネル割当て部は、各前記データチャネルに対応する複数の制御チャネルを、前記端末装置宛の制御チャネルが割当てられる帯域の制御チャネル領域における連続する位置に割当てることを特徴とする請求項２に記載の基地局。
【請求項８】
前記端末装置宛の制御チャネルが割当てられる帯域の制御チャネル領域において、当該端末装置が最初に検出する位置に割当てられる制御チャネル以外の制御チャネルには、前記データチャネルの割当て位置を示す情報のみが含まれることを特徴とする請求項１に記載の基地局。
【請求項９】
データチャネルが割当てられるデータチャネル領域と、制御チャネルが割当てられる制御チャネル領域とを有する帯域を複数用いて基地局との間で無線データ通信を行う端末装置において、
自装置宛の制御チャネルが割当てられる帯域の制御チャネル領域に割当てられた制御チャネルを前記基地局から受信する制御チャネル受信部と、
前記制御チャネル受信部により受信した制御チャネルの前記制御チャネル領域における割当て位置に基づき、当該制御チャネルに対応するデータチャネルが割当てられた帯域を特定する帯域特定部と、
前記帯域特定部により特定した帯域のデータチャネル領域における、前記制御チャネルにより示される前記データチャネルの割当て位置において当該データチャネルを受信するデータチャネル受信部と
を有することを特徴とする端末装置。
【請求項１０】
複数の前記帯域のうち、自装置宛の制御チャネルが割当てられる帯域及び当該帯域の制御チャネル領域における前記制御チャネルの割当て位置と前記帯域との対応関係を記憶する記憶部と、
前記基地局からの要求に応じて、前記記憶部に記憶された前記自装置宛の制御チャネルが割当てられる帯域の制御チャネル領域における前記制御チャネルの割当て位置と前記帯域との対応関係を変更する情報更新部と
を有することを特徴とする請求項９に記載の端末装置。
【請求項１１】
前記制御チャネル受信部は、前記制御チャネルを受信すると、当該制御チャネルの割当て位置に連続する割当て位置に他の制御チャネルが割当てられていると判定し、当該割当て位置において制御チャネルの受信を行うことを特徴とする請求項９に記載の端末装置。
【請求項１２】
データチャネルが割当てられるデータチャネル領域と、制御チャネルが割当てられる制御チャネル領域とを有する帯域を複数用い、基地局と端末装置との間で無線データ通信を行う場合における、前記制御チャネル領域への前記制御チャネル割当て方法であって、
前記基地局が、複数の前記帯域のうちのいずれかの帯域における制御チャネル領域内であって、前記端末装置に対して割り当てるデータチャネルが属する帯域に応じた位置に、前記端末装置宛の制御チャネルを割当てる工程を含むことを特徴とする制御チャネル割当て方法。
【請求項１３】
データチャネルが割当てられるデータチャネル領域と、制御チャネルが割当てられる制御チャネル領域とを有する帯域を複数用いて端末装置との間で無線データ通信を行う基地局であって、
前記制御チャネル領域のサイズを各前記帯域ごとに設定する領域設定部を備えることを特徴とする基地局。
【請求項１４】
複数の前記帯域のうち、一の端末装置宛の制御チャネルが割当てられる帯域を当該端末装置と関連付けて記憶する記憶部を有し、
前記領域設定部は、前記端末装置宛の制御チャネルが割当てられる帯域以外の帯域の制御チャネル領域のサイズを、前記端末装置宛の制御チャネルが割当てられる帯域の制御チャネル領域のサイズよりも小さくなるように設定することを特徴とする請求項１３に記載の基地局。
【請求項１５】
複数の前記帯域の中から、一の前記端末装置宛のデータチャネルを割当てる帯域として、当該端末装置宛の制御チャネルが割当てられる帯域を含む一又は複数の帯域を決定するとともに、各前記帯域のデータチャネル領域における前記データチャネルの割当て位置を決定するキャリア決定部を有し、
前記キャリア決定部は、前記端末装置宛の制御チャネルが割当てられる帯域以外の帯域の制御チャネル領域のサイズが、各前記制御チャネル領域が取り得るサイズのうち最大のサイズに設定されているものとして、各前記帯域のデータチャネル領域における前記データチャネルの割当て位置を決定することを特徴とする請求項１４に記載の基地局。
【請求項１６】
前記キャリア決定部は、前記端末装置宛の制御チャネルが割当てられる帯域以外の帯域の制御チャネル領域のサイズが、前記端末装置宛の制御チャネルが割当てられる帯域の制御チャネル領域のサイズと同じであるとして、各前記帯域のデータチャネル領域における前記データチャネルの割当て位置を決定することを特徴とする請求項１４に記載の基地局。
【請求項１７】
データチャネルが割当てられるデータチャネル領域と、制御チャネルが割当てられる制御チャネル領域とを有する帯域を複数用い、基地局と複数の端末装置との間で無線データ通信を行う場合における、前記制御チャネル領域の領域サイズ設定方法であって、
前記基地局が、前記制御チャネルのサイズを各前記帯域ごとに設定する工程を含むことを特徴とする領域サイズ設定方法。
【発明の詳細な説明】
【技術分野】
【０００１】
この発明は、基地局、端末装置、制御チャネル割当て方法及び領域サイズ決定方法に関する。
【背景技術】
【０００２】
近年、3GPP(Third  Generation  Partnership  Project)において、高速なデータ通信仕様の一つであるLTE(Long  Time  Evolution)の標準化が終わりつつあり、その進化システムであるLTE-Advancedの標準化に向けた活動が始まっている。LTE-Advancedシステムは、さらなるスループットの増大を目標としており、LTEシステムにおいて最大２０ＭＨｚのシステム帯域を用いて通信を行っているのに対し、最大１００ＭＨｚの帯域を用いた通信を可能にしようとしている。【０００３】
また、LTE-Advancedシステムは、LTEシステムとの互換性も強く求められ、LTEシステムを採用する端末装置もLTE-Advancedシステムのネットワークに接続できることが要求されている。そこで、LTEのシステム帯域を複数束ねて１つのLTE-Advancedのシステム帯域を形成することが考えられている。【０００４】
ここで、LTEシステムの無線フォーマットの一例を図２０に示す。図２０に示すように、LTEのシステム帯域６００は、制御チャネル領域６１０とデータチャネル領域６２０とに分けられる。そして、制御チャネル領域６１０内には制御チャネル６１１が含まれており、端末装置は、この制御チャネル６１１に基づき、データチャネル領域６２０内の所定のリソース位置において各種データの送受信を行う。【０００５】
例えば、制御チャネル６１１がダウンリンクのデータ割り当て用の制御チャネルである場合、端末装置は、データチャネル領域６２０内における、制御チャネル６１１で指定されたリソース位置にあるデータチャネルを受信する。一方、制御チャネル６１１がアップリンクのデータ割り当て用制御チャネルである場合、端末装置は、データチャネル領域６２０内における、制御チャネルで指定されたリソース位置においてデータを送信する。【０００６】
続いて、LTE-Advancedシステムの一例として、上記LTEシステムのシステム帯域を３つ束ねて形成されるLTE-Advancedシステムの無線フォーマットの一例を図２１に示す。なお、以下において、LTE-Advancedシステムにおける各LTEのシステム帯域をコンポーネントキャリアと呼ぶ。図２１に示すように、各コンポーネントキャリア７００ａ〜７００ｃは、それぞれ制御チャネル領域７１０ａ〜７１０ｃとデータチャネル領域７２０ａ〜７２０ｃとを有する。【０００７】
LTE-Advancedシステムにおいて、端末装置は、LTEシステムと同様、制御チャネルに基づきデータの送受信を行う。この際、LTE-Advancedシステムでは、各コンポーネントキャリアに対応する複数の制御チャネルは、１つのコンポーネントキャリアの制御キャリア領域内に含まれる。例えば、図２１に示すように、コンポーネントキャリア７００ａに対応する制御チャネル７３０ａ、コンポーネントキャリア７００ｂに対応する制御チャネル７３０ｂ及びコンポーネントキャリア７００ｃに対応する制御チャネル７３０ｃが、コンポーネントキャリア７００ｂの制御チャネル領域７１０ｂ内に全て含まれる。【０００８】
このように、LTE-Advancedシステムでは、複数のコンポーネントキャリア７００のうち、ある端末装置が取得すべき全ての制御チャネル７３０を有するコンポーネントキャリア７００を予め１つ決めておく。これにより、端末装置は、１つのコンポーネントキャリア７００の制御チャネル領域７１０にアクセスするだけで、全てのコンポーネントキャリア７００に対応する制御チャネルを取得できる（非特許文献１参照。）。【０００９】
【非特許文献１】3GPP  TSG-RAN  WG1#53bis、R1-082468、“Carrier  aggregation  in  LTE-Advanced”
【発明の開示】
【発明が解決しようとする課題】
【００１０】
しかしながら、上記のようなLTE-Advancedシステムとした場合、制御チャネルには、当該制御チャネルがどのコンポーネントキャリアに対応するかを示す情報が新たに追加されるため、制御チャネルに含まれる情報量が増加する。その結果、利用可能なデータチャネル領域が減少し、システム全体としての周波数利用効率が低下するおそれがある。【００１１】
本発明の目的の１側面は、システム全体の周波数利用効率の改善を図ることのできる基地局、端末装置、制御チャネル割当て方法及び領域サイズ決定方法を提供することである。
【課題を解決するための手段】
【００１２】
第１の案では、基地局は、一つの態様として、データチャネルが割当てられるデータチャネル領域と、制御チャネルが割り当てられる制御チャネル領域とを有する帯域を複数用いて端末装置との間で無線データ通信を行う基地局において、複数の前記帯域のうちのいずれかの帯域における制御チャネル領域内であって、前記端末装置に対して割り当てるデータチャネルが属する帯域に応じた位置に、前記端末装置に対する制御チャネルを割当てる制御チャネル割当て部と、前記制御チャネル割当て部により割当てられた位置で前記制御チャネルを前記端末装置へ送信する制御チャネル送信部とを備えることを特徴とする基地局を用いる。【００１３】
第２の案では、データチャネルが割当てられるデータチャネル領域と、制御チャネルが割当てられる制御チャネル領域とを有する帯域を複数用いて基地局との間で無線データ通信を行う端末装置において、自装置宛の制御チャネルが割当てられる帯域の制御チャネル領域に割当てられた制御チャネルを前記基地局から受信する制御チャネル受信部と、前記制御チャネル受信部により受信した制御チャネルの前記制御チャネル領域における割当て位置に基づき、当該制御チャネルに対応するデータチャネルが割当てられた帯域を特定する帯域特定部と、前記帯域特定部により特定した帯域のデータチャネル領域における、前記制御チャネルにより示される前記データチャネルの割当て位置において当該データチャネルを受信するデータチャネル受信部とを有することを特徴とする端末装置を用いる。【００１４】
第３の案では、データチャネルが割当てられるデータチャネル領域と、制御チャネルが割当てられる制御チャネル領域とを有する帯域を複数用い、基地局と端末装置との間で無線データ通信を行う場合における、前記制御チャネル領域への前記制御チャネル割当て方法であって、前記基地局が、複数の前記帯域のうちのいずれかの帯域における制御チャネル領域内であって、前記端末装置に対して割り当てるデータチャネルが属する帯域に応じた位置に、前記端末装置宛の制御チャネルを割当てる工程を含むことを特徴とする制御チャネル割当て方法を用いる。【００１５】
第４の案では、データチャネルが割当てられるデータチャネル領域と、制御チャネルが割当てられる制御チャネル領域とを有する帯域を複数用いて端末装置との間で無線データ通信を行う基地局であって、前記制御チャネル領域のサイズを各前記帯域ごとに設定する領域設定部を備えることを特徴とする基地局を用いる。【００１６】
第５の案では、複数の前記帯域のうち、一の前記端末装置宛の制御チャネルが割当てられる帯域を、当該端末装置のメイン帯域として当該端末装置と関連付けて記憶する記憶部を有し、前記領域設定部は、前記メイン帯域以外の帯域の制御チャネル領域のサイズを、前記メイン帯域の制御チャネル領域のサイズよりも小さくなるように設定することを特徴とする請求項１３に記載の基地局を用いる。【００１７】
第６の案では、データチャネルが割当てられるデータチャネル領域と、制御チャネルが割当てられる制御チャネル領域とを有する帯域を複数用い、基地局と複数の端末装置との間で無線データ通信を行う場合における、前記制御チャネル領域の領域サイズ設定方法であって、前記基地局が、前記制御チャネルのサイズを各前記帯域ごとに設定する工程を含むことを特徴とする領域サイズ設定方法を用いる。
【発明の効果】
【００１８】
データチャネル領域の減少を防止できるため、周波数利用効率を改善できる。
【図面の簡単な説明】
【００１９】
【図１】図１は、実施例１にかかる無線通信システムの概要を説明するための図である。
【図２】図２は、実施例１にかかる無線フォーマットの構成の一例を示す図である。
【図３】図３は、実施例１にかかる基地局の構成を示すブロック図である。
【図４】図４は、実施例１にかかるメインキャリア対応テーブルの一例を示す図である。
【図５】図５は、実施例１にかかる制御チャネルの割当て方法を説明するための図である。
【図６】図６は、実施例１にかかる端末装置の構成を示すブロック図である。
【図７】図７は、実施例１にかかる基地局の処理手順の一例を示すフローチャートである。
【図８】図８は、実施例１にかかるスケジュール処理の処理手順の一例を示すフローチャートである。
【図９】図９は、実施例１にかかる端末装置の処理手順の一例を示すフローチャートである。
【図１０】図１０は、実施例２にかかるデータチャネルが割り当てられるコンポーネントキャリアの変更処理を説明するための図である。
【図１１】図１１は、実施例３にかかる制御チャネルの割当て方法を説明するための図である。
【図１２】図１２は、実施例４にかかるメイン制御チャネル及びサブ制御チャネルに含まれる情報を示す図である。
【図１３】図１３は、実施例４にかかる制御チャネルの割当て方法の一例を説明するための図である。
【図１４】図１４は、実施例５にかかる基地局の構成を示すブロック図である。
【図１５】図１５は、実施例５にかかる制御チャネル領域の設定方法を説明するための図である。
【図１６】図１６は、実施例６にかかる制御チャネル領域の設定方法を説明するための図である。
【図１７】図１７は、実施例７にかかる制御チャネル領域の設定方法を説明するための図である。
【図１８】図１８は、実施例８にかかる制御チャネル領域の設定方法を説明するための図である。
【図１９】図１９は、実施例８にかかる端末装置の処理手順の一例を示すフローチャートである。
【図２０】図２０は、LTEシステムの無線フォーマットの一例を示す図である。
【図２１】図２１は、LTEシステムのシステム帯域を３つ束ねて形成されるLTE-Advancedシステムの無線フォーマットの一例を示す図である。
【符号の説明】
【００２０】
Ｓ    無線通信システム
１    基地局
２    端末装置
１０    アンテナ
１１    記憶部
１２    制御部
１３    送信部
１４    データチャネル受信部
１１０    メインキャリア対応テーブル
１２０    キャリア決定部
１２１    制御チャネル割当て部
３００    コンポーネントキャリア
３１０    制御チャネル領域
３１１    制御チャネル領域識別子
３１２    サーチスペース
３１３    制御チャネル
３２０    データチャネル領域
３２１    データチャネルの割当て位置
【発明を実施するための最良の形態】
【００２１】
以下に添付図面を参照して、本発明に係る基地局、端末装置、制御チャネル割当て方法及び領域サイズ決定方法の実施例を図面に基づいて詳細に説明する。
【実施例１】
【００２２】
まず、本実施例にかかる基地局を含む無線通信システム構成について図面を用いて説明する。図１は、実施例１にかかる無線通信システムの概要を説明するための図である。図１に示すように、本実施例にかかる無線通信システムＳは、基地局１と、複数の端末装置２ａ〜２ｃとを含む。基地局１は、通信範囲であるセルＣ内に存在する端末装置２ａ〜２ｃとの間で、基地局１から各端末装置２ａ〜２ｃに向かうダウンリンク通信や端末装置２ａ〜２ｃから基地局１に向かうアップリンク通信等の無線データ通信を行う。【００２３】
本実施例において、基地局１及び端末装置２間の無線データ通信は、周波数帯域の異なる複数の帯域を用いて行われる。具体的には、本実施例にかかる無線通信システムＳでは、３つのLTEのシステム帯域を用いた無線データ通信が行われる。以下に、本実施例にかかる無線通信システムＳにおける無線フォーマットの構成について説明する。図２は、実施例１にかかる無線フォーマットの構成の一例を示す図である。【００２４】
図２に示すように、無線通信システムＳにおいて用いられる無線フォーマットは、LTEシステムのシステム帯域３００ａ〜３００ｃを３つ束ねて形成される。以下、各LTEシステムのシステム帯域３００ａ〜３００ｃをコンポーネントキャリア３００ａ〜３００ｃと呼ぶ。なお、コンポーネントキャリア３００の数は、これに限ったものではない。【００２５】
各コンポーネントキャリア３００ａ〜３００ｃは、１サブフレーム単位でフォーマットが規定されており、それぞれ制御チャネル領域３１０ａ〜３１０ｃとデータチャネル領域３２０ａ〜３２０ｃとを有する。制御チャネル領域３１０は、制御チャネルが割当てられる領域であり、データチャネル領域３２０は、データチャネルが割当てられる領域である。【００２６】
データチャネルは、データチャネル領域３２０を所定の時間間隔で分割した分割領域（チャネル）であり、端末装置２ごとに割当てられる。また、制御チャネルは、データチャネル領域３２０内におけるデータチャネルの割当て位置を示す情報を含んでおり、端末装置２は、データチャネル領域３２０内に割当てられた自装置宛てのデータチャネルにおいてデータの送受信を行う。なお、本実施例にかかる制御チャネルには、３つのコンポーネントキャリア３００ａ〜３００ｃのうち、どのコンポーネントキャリア３００にデータチャネルが割当てられているかを示す情報は含まれていない。【００２７】
また、本実施例にかかる無線通信システムＳにおいて、各コンポーネントキャリア３００ａ〜３００ｃは、コンポーネントキャリア３００ｃ→コンポーネントキャリア３００ｂ→コンポーネントキャリア３００ａの順に高い周波数帯域を有する。なお、コンポーネントキャリア３００ａ〜３００ｃは、それぞれ独立して１つのLTEシステムを形成しており、無線通信システムＳでは、１つのコンポーネントキャリア３００を用いた無線データ通信も行うことができる。【００２８】
次に、本実施例にかかる基地局１の構成について説明する。図３は実施例１にかかる基地局１の構成を示すブロック図、図４は実施例１にかかるメインキャリア対応テーブルの一例を示す図である。図３に示すように、本実施例にかかる基地局１は、アンテナ１０と、記憶部１１と、制御部１２と、送信部１３と、データチャネル受信部１４とを有する。【００２９】
アンテナ１０は、各種データの送受信に用いられる。特に、本実施例において、アンテナ１０は、端末装置２へ制御チャネルやデータチャネルを送信する際や端末装置２からデータチャネルを受信する際に用いられる。【００３０】
記憶部１１は、端末装置２との無線データ通信に用いる各種情報として、端末装置２の装置名や各コンポーネントキャリア３００ａ〜３００ｃの周波数帯域等を記憶する。特に、記憶部１１は、メインキャリア対応テーブル１１０を記憶する。このメインキャリア対応テーブル１１０は、各コンポーネントキャリア３００ａ〜３００ｃのうち、各端末装置２宛の制御チャネルが割当てられるコンポーネントキャリア３００を当該端末装置２と関連付けて記憶する。【００３１】
すなわち、本実施例において、各端末装置２ａ〜２ｃは、各コンポーネントキャリア３００ａ〜３００ｃの制御チャネル領域３１０ａ〜３１０ｃを全て検出するのではなく、予め決められた１つの制御チャネル領域３１０の検出のみを行う。そこで、基地局１は、ある端末装置２宛の制御チャネルが割当てられる制御チャネルを有するコンポーネントキャリア３００を当該端末装置２のメインキャリアとし、これら端末装置２とメインキャリアとの対応関係をメインキャリア対応テーブル１１０において管理する。【００３２】
例えば、図４に示すように、端末装置２ａのメインキャリアは、コンポーネントキャリア３００ａである。すなわち、端末装置２ａは、コンポーネントキャリア３００ａの制御チャネル領域３１０ａに割当てられた制御チャネルのみを受信する。また、同様に、端末装置２ｂのメインキャリアはコンポーネントキャリア３００ｂであり、端末装置２ｃのメインキャリアはコンポーネントキャリア３００ｃである。【００３３】
制御部１２は、基地局１全体を制御する。この制御部１２は、キャリア決定部１２０と、制御チャネル割当て部１２１とを有する。キャリア決定部１２０は、ある端末装置２宛てのデータチャネルをどのコンポーネントキャリア３００のどの位置に割当てるかを決定する。具体的には、キャリア決定部１２０は、コンポーネントキャリア３００ａ〜３００ｃの中から、各端末装置２宛のデータチャネルを割当てるコンポーネントキャリア３００を、当該端末装置２のメインキャリアを起点とした各コンポーネントキャリア３００の周波数帯域の昇順に決定する。【００３４】
例えば、キャリア決定部１２０は、端末装置２ｃに対して１つのデータを送信する場合、当該端末装置２ｃのメインキャリアであるコンポーネントキャリア３００ｃのデータチャネル領域３２０ｃに端末装置２ｃ宛のデータチャネルを割当てる。また、キャリア決定部１２０は、端末装置２ｃに２つのデータを送信する場合、各データに対応するデータチャネルを割当てるコンポーネントキャリア３００として、端末装置２ｃのメインキャリアであるコンポーネントキャリア３００ｃと、コンポーネントキャリア３００ｃの次に周波数帯域の高いコンポーネントキャリア３００ｂを決定する。【００３５】
制御チャネル割当て部１２１は、端末装置２宛のデータチャネルに対応する制御チャネルを当該端末装置２のメインキャリアの制御チャネル領域３１０における、データチャネルが割当てられるコンポーネントキャリア３００に応じた位置に割当てる。具体的には、制御チャネル割当て部１２１は、制御チャネルの割当て位置を、当該制御チャネルに対応するデータチャネルが割当てられるコンポーネントキャリア３００の周波数帯域に基づいて決定する。【００３６】
以下に、本実施例にかかる制御チャネルの具体的な割当て方法について説明する。図５は、実施例１にかかる制御チャネルの割当て方法を説明するための図である。なお、制御チャネル３１３ａは、コンポーネントキャリア３００ｂ内の割当て位置３２１ｂに割当てられたデータチャネルに対応し、制御チャネル３１３ｂは、コンポーネントキャリア３００ａ内の割当て位置３２１ａに割当てられたデータチャネルに対応する。また、制御チャネル３１３ｃは、コンポーネントキャリア３００ｃ内の割当て位置３２１ｃに割当てられたデータチャネルに対応する。【００３７】
図５に示すように、コンポーネントキャリア３００ｂの制御チャネル領域３１０ｂには、このコンポーネントキャリア３００ｂをメインキャリアとする端末装置２ｂ宛ての制御チャネル３１３ａ〜３１３ｃが割当てられている。また、制御チャネル領域３１０ｂの先頭には、制御チャネル領域３１０ｂとデータチャネル領域３２０ｂとの境界位置を示す情報である制御チャネル領域識別子３１１が割当てられる。【００３８】
端末装置２ｂは、基地局１と通信を行う際、先ず、自装置のメインキャリアの制御チャネル領域３１０ｂにある制御チャネル領域識別子３１１の解読を行うことにより、制御チャネル領域３１０ｂのサイズやデータチャネル領域３２０ｂの開始位置等を識別する。なお、本実施例において、制御チャネル領域３１０ａに割当てられた制御チャネル領域識別子３１１は、全てのコンポーネントキャリア３００ａ〜３００ｃに対して適用される。すなわち、端末装置２ｂは、制御チャネル領域３１０ｂにある制御チャネル領域識別子３１１を解読することで、全てのコンポーネントキャリア３００ａ〜３００ｃの制御チャネル領域３１０ａ〜３１０ｃとデータチャネル領域３２０ａ〜３２０ｃとの境界位置を識別する。【００３９】
また、制御チャネル領域３１０には、端末装置２ごとに異なる１又は複数のサーチスペースが割当てられる。サーチスペースは、ある端末装置２が制御チャネル領域３１０内において検出（受信）すべき領域である。例えば、図５に示すように、制御チャネル領域３１０ｂには、端末装置２ｂが検出すべき領域としてサーチスペース３１２ａ〜３１２ｃが割当てられている。【００４０】
制御チャネル割当て部１２１は、端末装置２ｂ宛のデータチャネルに対応する（当該データチャネルの割当て位置情報を含む）制御チャネル３１３ａ〜３１３ｃをこれらサーチスペース３１２ａ〜３１２ｃ内に割当てる。この際、制御チャネル割当て部１２１は、どのサーチスペース３１２にどの制御チャネルを割当てるかを、データチャネルが割当てられるコンポーネントキャリア３００の周波数帯域に基づいて決定する。【００４１】
すなわち、制御チャネル割当て部１２１は、先ず、端末装置２ｂのメインキャリア（コンポーネントキャリア３００ｂ）に割当てられるデータチャネルに対応する制御チャネル３１３ａを、各サーチスペース３１２ａ〜３１２ｃのうち、端末装置２ｂが最初に検出を行うサーチスペース３１２ａに割当てる。続いて、制御チャネル割当て部１２１は、コンポーネントキャリア３００ｂの次に高い周波数帯域を有するコンポーネントキャリア３００ａに割当てられるデータチャネルに対応する制御チャネルを、端末装置２ｂが次に検出を行うサーチスペース３１２ｂに割当てる。【００４２】
また、制御チャネル割当て部１２１は、コンポーネントキャリア３００ａよりも周波数帯域の高いコンポーネントキャリア３００が存在しないため、端末装置２ｂが次に検出を行うサーチスペース３１２ｃには、最も低い周波数帯域を持つコンポーネントキャリア３００ｃに対応する制御チャネル３１３ｃを割当てる。【００４３】
このように、制御チャネル割当て部１２１は、先ず、端末装置２が最初に検出を行う制御チャネル３１３をメインキャリアに割当てられるデータチャネルに対応する制御チャネルとする。そして、制御チャネル割当て部１２１は、他の制御チャネル３１３を、端末装置２の制御チャネル３１３の検出順序と、各制御チャネル３１３に対応するコンポーネントキャリア３００の周波数帯域の昇順とが対応付けられた位置に割当てる。【００４４】
送信部１３は、アンテナ１０を介して端末装置２に対して制御チャネルやデータチャネルの送信を行う。この送信部１３は、制御チャネル送信部１３０と、データチャネル送信部１３１とを有する。制御チャネル送信部１３０は、制御チャネル割当て部１２１により割当てられた位置で制御チャネル３１３を端末装置２へ送信する。また、データチャネル送信部１３１は、キャリア決定部１２０により決定されたコンポーネントキャリア３００の決定された割当て位置においてデータチャネルを端末装置２へ送信する。【００４５】
データチャネル受信部１４は、アンテナ１０を介してキャリア決定部１２０により決定されたコンポーネントキャリア３００及び決定された割当て位置において、端末装置２から送信されたデータチャネルを受信する。【００４６】
続いて、本実施例にかかる端末装置２の構成について説明する。図６は、実施例１にかかる端末装置の構成を示すブロック図である。本実施例にかかる端末装置２は、図６に示すように、アンテナ２０と、データチャネル送信部２１と、受信部２２と、記憶部２３と、制御部２４とを有する。【００４７】
アンテナ２０は、各種データの送受信に用いられる。特に、本実施例において、アンテナ２０は、基地局１から制御チャネルやデータチャネルを受信する際あるいは基地局１へデータチャネルを送信する際に用いられる。【００４８】
受信部２２は、アンテナ２０を介して基地局１から制御チャネルやデータチャネルを受信する。受信部２２は、制御チャネルを受信する制御チャネル受信部２２０と、データチャネルを受信するデータチャネル受信部２２１とを有する。【００４９】
記憶部２３は、基地局１との無線データ通信に用いる各種情報を記憶する。特に、記憶部２３は、マッピング情報管理テーブル２３０を記憶する。マッピング情報管理テーブル２３０は、自装置のメインキャリアを記憶するとともに、当該メインキャリアの制御チャネル領域３１０における制御チャネルの割当て位置とコンポーネントキャリア３００との対応関係を記憶する。例えば、端末装置２ｂの記憶部２３に記憶されるマッピング情報管理テーブル２３０には、メインキャリアの情報として、メインキャリアがコンポーネントキャリア３００ｂであることが記憶されている。また、端末装置２ｂのマッピング情報管理テーブル２３０には、制御チャネルの検出順序が、各制御チャネルに対応するコンポーネントキャリア３００の周波数帯域の昇順に対応付けられていることが記憶されている。【００５０】
制御部２４は、端末装置２全体を制御する。この制御部２４は、テーブル更新部２４０と、キャリア特定部２４１とを有する。テーブル更新部２４０は、情報更新部に相当し、基地局１からの要求に応じて、マッピング情報管理テーブル２３０の情報を変更する。具体的には、テーブル更新部２４０は、自装置のメインキャリアの制御チャネル領域３１０における制御チャネルの割当て位置とコンポーネントキャリアとの対応関係を変更する。【００５１】
キャリア特定部２４１は、帯域特定部に相当し、受信した制御チャネルの制御チャネル領域内における割当て位置及びマッピング情報管理テーブル２３０に基づき、当該制御チャネルに対応するデータチャネルが割当てられたコンポーネントキャリア３００を特定する。例えば、端末装置２ｂのキャリア特定部２４１は、メインキャリアの制御チャネル領域３１０ｂ内のサーチスペース３１２ａ〜３１２ｃのうち、端末装置２ｂが最初に検出をサーチスペース３１２ａ内の制御チャネル３１３ａを、メインキャリアに割当てられるデータチャネルに対応する制御チャネルであると特定する。【００５２】
続いて、キャリア特定部２４１は、次のサーチスペース３１２ｂ内の制御チャネル３１３ｂを、メインキャリアの次に高い周波数帯域を持つコンポーネントキャリア３００ａに割当てられるデータチャネルに対応する制御チャネルであると特定する。また、キャリア特定部２４１は、コンポーネントキャリア３００ａよりも高い周波数帯域を持つコンポーネントキャリアが存在しないため、次のサーチスペース３１２ｃ内の制御チャネル３１３ｃを、システム内において最も低いコンポーネントキャリア３００ｃに割当てられるデータチャネルに対応する制御チャネルであると特定する。【００５３】
次に、本実施例にかかる基地局１の具体的動作について図面を参照して説明する。図７は、実施例１にかかる基地局１の処理手順の一例を示すフローチャートである。なお、図７においては、基地局１が実行する処理手順のうち、１つの端末装置２への制御チャネルの送信およびデータチャネルの送受信に関する処理手順のみを示している。【００５４】
図７に示すように、基地局１の制御部１２は、先ず、スケジュール処理を行う（ステップＳ１１）。このスケジュール処理は、端末装置２への制御チャネルやデータチャネルの送信タイミング等のスケジューリングを行う処理であり、後述する。続いて、制御部１２は、ステップＳ１１でのスケジューリングの結果に基づき、制御チャネルを端末装置２へ送信する（ステップＳ１２）。【００５５】
続いて、制御部１２は、ステップＳ１２において送信した制御チャネルが、基地局１から端末装置２へ向かって行うダウンリンク用の制御チャネルであるか否かを判定する（ステップＳ１３）。この処理において、ステップＳ１２において送信した制御チャネルがダウンリンク用の制御チャネルであると判定すると（ステップＳ１３肯定）、制御部１２は、ステップＳ１１でのスケジューリングの結果に基づく割当て位置において、データを端末装置２へ送信する（ステップＳ１４）。一方、ステップＳ１２で送信した制御チャネルがダウンリンク用の制御チャネルでないとき、すなわち、アップリンク用の制御チャネルであるとき（ステップＳ１３否定）、制御部１２は、スケジューリング結果に基づく割当て位置において、データチャネルを受信する（ステップＳ１５）。【００５６】
続いて、ステップＳ１１におけるスケジュール処理について図面を参照して説明する。図８は、実施例１にかかるスケジュール処理の処理手順の一例を示すフローチャートである。【００５７】
図８に示すように、キャリア決定部１２０は、データチャネルを送信するコンポーネントキャリア３００を決定する（ステップＳ２１）。具体的には、キャリア決定部１２０は、コンポーネントキャリア３００ａ〜３００ｃの中から、各端末装置２宛のデータチャネルを割当てるコンポーネントキャリア３００を、当該端末装置２のメインキャリアを起点とした各コンポーネントキャリア３００の周波数帯域の昇順に決定する。【００５８】
続いて、キャリア決定部１２０は、全てのデータチャネルについて、送信するコンポーネントキャリア３００を決定したか否かを判定する（ステップＳ２２）。この処理において、まだ送信するコンポーネントキャリア３００を決定していないデータチャネルがある場合（ステップＳ２２否定）、キャリア決定部１２０は、処理をステップＳ２１へ移行する。一方、全てのデータチャネルについて、送信するコンポーネントキャリア３００を決定したと判定すると（ステップＳ２２肯定）、キャリア決定部１２０は、処理をステップＳ２３へ移行する。【００５９】
ステップＳ２３において、制御チャネル割当て部１２１は、端末装置２のメインキャリアに割当てられるデータチャネルに対応する制御チャネルを、当該メインキャリアの制御チャネル領域３１０において当該端末装置２に割当てられたサーチスペース３１２のうち、当該端末装置２が最初に検出を行うサーチスペース３１２内に割当てる（ステップＳ２３）。続いて、制御チャネル割当て部１２１は、メインキャリアの次に高い周波数帯域を持つコンポーネントキャリア３００に対応する制御チャネルを、次に端末装置２が検出を行うサーチスペース３１２内に割当てる（ステップＳ２４）。【００６０】
続いて、制御チャネル割当て部１２１は、全ての制御チャネルについて、サーチスペース３１２への割当てを行ったか否かを判定する（ステップＳ２５）。この処理において、まだサーチスペース３１２への割当てを行っていない制御チャネルがあるとき（ステップＳ２５否定）、制御チャネル割当て部１２１は、処理をステップＳ２６へ移行する。【００６１】
ステップＳ２６において、制御チャネル割当て部１２１は、周波数帯域が最も高いコンポーネントキャリアに対応する制御チャネルをサーチスペース３１２へ割当て済みか否かを判定する。この処理において、当該制御チャネルをサーチスペース３１２へ割当て済みでないとき（ステップＳ２６否定）、制御チャネル割当て部１２１は、処理をステップＳ２４へ移行する。一方、当該制御チャネルをサーチスペース３１２へ割当て済みであると判定すると（ステップＳ２６肯定）、制御チャネル割当て部１２１は、処理をステップＳ２７へ移行する。【００６２】
ステップＳ２７において、制御チャネル割当て部１２１は、残りの制御チャネルを、対応するコンポーネントキャリア３００の周波数帯域が最も低い制御チャネルから順にサーチスペース３１２へ割当てる。この処理を終えたとき、あるいは、ステップＳ２５において、全ての制御チャネルについてサーチスペース３１２へ割当て済みであると判定すると（ステップＳ２５肯定）、制御チャネル割当て部１２１は、スケジュール処理を終了する。【００６３】
続いて、本実施例かかる端末装置２の具体的動作について説明する。図９は、実施例１にかかる端末装置の処理手順の一例を示すフローチャートである。なお、図９においては、端末装置２が実行する処理手順のうち、制御チャネルの受信及びデータチャネルの送受信に関する処理手順のみを示している。【００６４】
図９に示すように、端末装置２の制御部２４は、自装置のメインキャリアの制御チャネル領域３１０内にある制御チャネル領域識別子３１１を検出し、解読を行う（ステップＳ３１）。続いて、制御部２４は、自装置に割当てられたサーチスペース３１２内の制御チャネルを全て受信し、デコードを行う（ステップＳ３２）。【００６５】
続いて、制御部２４は、ステップＳ３２においてデコードを行った制御チャネルの中に、データ割り当て用の制御チャネルが存在するか否かを判定する（ステップＳ３３）。この処理において、データ割り当て用の制御チャネルが存在すると判定すると（ステップＳ３３肯定）、制御部２４は、処理をステップＳ３４へ移行する。【００６６】
ステップＳ３４において、制御部２４は、データ割り当て用の制御チャネルが複数存在するか否かを判定する。この処理において、データ割り当て用の制御チャネルが複数存在すると判定すると（ステップＳ３４肯定）、制御部２４は、処理をステップＳ３５へ移行する。【００６７】
ステップＳ３５において、キャリア特定部２４１は、マッピング情報管理テーブル２３０に記憶されたマッピング情報に基づき、各制御チャネルに対応するデータチャネルが割当てられるコンポーネントキャリア３００を特定する。具体的には、キャリア特定部２４１は、メインキャリアの制御チャネル領域３１０内のサーチスペース３１２のうち、自装置が最初に検出を行うサーチスペース３１２内にある制御チャネル３１３を、メインキャリアに割当てられるデータチャネルに対応する制御チャネルとして特定する。【００６８】
また、キャリア特定部２４１は、次のサーチスペース３１２内の制御チャネル３１３を、メインキャリアの次に高い周波数帯域を持つコンポーネントキャリア３００に割当てられるデータチャネルに対応する制御チャネルとして特定する。また、キャリア特定部２４１は、最も高い周波数帯域を持つコンポーネントキャリアに対応する制御チャネルを特定した場合、次のサーチスペース３１２内の制御チャネル３１３を、システム内において最も低いコンポーネントキャリア３００に割当てられるデータチャネルに対応する制御チャネルとして特定する。【００６９】
ステップＳ３５の処理を終えたとき、あるいは、ステップＳ３４においてデータ割り当て用の制御チャネルが複数存在しないとき（ステップＳ３４否定）、制御部２４は、制御チャネルがダウンリンク用の制御チャネルであるか否かを判定する（ステップＳ３６）。この処理において、制御チャネルがダウンリンク用の制御チャネルであると判定すると（ステップＳ３６肯定）、制御部２４は、ステップＳ３５において特定したコンポーネントキャリア３００における、制御チャネルが示す割当て位置において自装置宛のデータチャネルを受信する(ステップＳ３７)。一方、制御チャネルがダウンリンク用の制御チャネルでないとき（ステップＳ３６否定）、すなわち、アップリンク用の制御チャネルであるとき、制御部２４は、特定したコンポーネントキャリア３００における、制御チャネルが示す割当て位置においてデータの送信を行う(ステップＳ３８)。【００７０】
ステップＳ３７、Ｓ３８の処理を終えたとき、もしくは、ステップＳ３３において、データ割当て用の制御チャネルがないとき（ステップＳ３３否定）、制御部２４は、制御チャネル及びデータチャネルの送受信に関する処理を終了する。【００７１】
上述してきたように、実施例１によれば、基地局１は、制御チャネルを、当該制御チャネルに対応するデータチャネルが割当てられるコンポーネントキャリア３００に応じた位置に割当てる。これにより、端末装置２は、制御チャネルの割当て位置により当該制御チャネルがどのコンポーネントキャリア３００に対応するかを識別できるため、制御チャネルの情報量を増やさなくてもよい。その結果、データチャネル領域の減少を防止できるため、周波数利用効率を改善できる。【００７２】
なお、複数のLTEシステム帯域を用いて通信を行うLTE-Advancedシステムにおいて、１つのLTEシステム帯域のみを用いて無線データ通信を行う場合、端末装置は、LTE用の制御チャネルとLTE-Advanced用の制御チャネルの両方を複合(ブラインドデコード)する。このようにすると、処理量が増え、それに伴い消費電力が増えるため、端末装置に並列処理用の回路を別途設ける場合もある。しかし、本実施例にかかる無線通信システムＳを用いることにより、ブラインドデコードのパターンが１種類となるため、処理量を軽減することができ、端末装置に並列処理用の回路を設けなくてもよい。【００７３】
また、制御チャネルに含まれる情報は、従来のLTEシステムと同様であるため、１つのコンポーネントキャリアのみを用いて通信を行う機器との互換性があり、これらの機器から本実施例にかかる各種装置を開発する場合の開発量を削減できる。【００７４】
なお、本実施例では、制御チャネルを制御チャネル領域３１０へ割当てる順序を、各制御チャネルが対応するコンポーネントキャリア３００の周波数帯域の昇順としたが、これに限らず、降順であっても同様の効果を得ることができる。
【実施例２】
【００７５】
実施例２は、制御チャネルの割当て位置とコンポーネントキャリア３００との対応関係を基地局１からの要求により切り替える。これにより、あるコンポーネントキャリア３００をメインキャリアとする複数の端末装置に、送受信したいデータが集中した場合でも、より幅広いコンポーネントキャリア３００の使用が可能となる。以下に、制御チャネルの割当て位置とコンポーネントキャリアとの対応関係の変更処理の流れについて説明する。図１０は、実施例２にかかるデータチャネルが割り当てられるコンポーネントキャリアの変更処理を説明するための図である。なお、既に説明した構成と同じものについては同一の符号を付し、その説明を省略する。【００７６】
実施例１では、例えば、コンポーネントキャリア＃３の制御チャネルを受信する端末装置は、「コンポーネントキャリア＃３」、「コンポーネントキャリア＃３、＃４」、「コンポーネントキャリア＃３、＃４、＃５」など、コンポーネントキャリア＃３から始まる連続したコンポーネントキャリアのみ割当てることとした。しかしながら、例えば、コンポーネントキャリア＃３をメインキャリアとする端末装置にデータ割り当てが集中した場合、コンポーネントキャリア＃２に割当てる端末装置がいない場合であっても、このコンポーネントキャリア＃２を有効に使用することができない。そこで、あるコンポーネントキャリアをメインキャリアとする端末装置に送信データが集中した場合は、基地局１がシグナリングを送信し、データチャネルの割当ての順番を変更する。【００７７】
具体的には、図１０に示すように、基地局１のキャリア決定部１２０は、データチャネルを割当てる各コンポーネントキャリア３００の通信状況に応じて、各データチャネルを割当てるコンポーネントキャリア３００を変更する（ステップＳ５１）。【００７８】
すなわち、キャリア決定部１２０は、例えば、コンポーネントキャリア＃３をメインキャリアとする端末装置２へのデータ送信が集中した場合、ある端末装置２のデータチャネルを割当てるコンポーネントキャリア＃３、＃４、＃５を、コンポーネントキャリア＃０、＃１、＃２に変更する。【００７９】
また、基地局１は、制御チャネルの割当て位置とコンポーネントキャリアとの対応関係がキャリア決定部１２０により変更されると、変更後の対応関係を示す情報であるマッピング情報を端末装置２へ送信する。【００８０】
このマッピング情報を取得すると、端末装置２のテーブル更新部２４０は、基地局１から変更後の対応関係を示す情報を取得すると、当該情報に基づきマッピング情報管理テーブル２３０を更新する（ステップＳ５２）。【００８１】
続いて、基地局１の制御部１２は、ステップＳ５１により変更した対応関係に基づきスケジュール処理を行い（ステップＳ５３）、スケジュール結果に応じた割当て位置で制御チャネルを送信する（ステップＳ５４）。一方、この制御チャネルを受信すると、端末装置２のキャリア特定部２４１は、ステップＳ５２において更新したマッピング情報に基づいて各制御チャネルに対応するコンポーネントキャリア３００を特定する（ステップＳ５４）。【００８２】
また、基地局１の制御部１２は、ステップＳ５１において、データチャネルを割当てるコンポーネントキャリア３００として決定された各コンポーネントキャリア３００の所定の割当て位置でデータ送信を行う（ステップＳ５５）。そして、端末装置２の制御部２４は、ステップＳ５４において特定したコンポーネントキャリア３００のデータチャネル領域３２０における、取得した制御チャネルが示す割当て位置において自装置宛のデータチャネルを受信する（ステップＳ５６）。なお、ステップＳ５３〜Ｓ５６の処理は、サブフレーム毎に繰り返し行われる。【００８３】
上述してきたように、実施例２によれば、制御チャネルの割当て位置とコンポーネントキャリアとの対応関係を変更することにより、あるコンポーネントキャリア３００をメインキャリアとする複数の端末装置２に、送受信したいデータが集中した場合でも、より幅広いコンポーネントキャリア３００の使用が可能となる。【００８４】
なお、以上の方法は、短期的にデータ送信が集中した場合の回避策である。例えば、あるコンポーネントキャリア３００をメインキャリアとする端末装置２の数が、各コンポーネントキャリア３００間で大きく異なるようになる場合もある。かかる場合は、各端末装置２とメインキャリアとなるコンポーネントキャリア３００との対応関係を変更すればよい。
【実施例３】
【００８５】
実施例１において、端末装置２は、サーチスペース３１２内の制御チャネルのみを受信することとしたが、実施例３は、サーチスペース３１２外にも制御チャネルを割当てる。以下に、実施例３にかかる制御チャネル割当て方法について具体的に説明する。図１１は、実施例３にかかる制御チャネルの割当て方法を説明するための図である。なお、既に説明した構成と同じものについては同一の符号を付し、その説明を省略する。【００８６】
本実施例において、基地局１の制御チャネル割当て部１２１は、ある端末装置２宛の制御チャネルとして複数の制御チャネルを割当てる場合には、各制御チャネルを、当該端末装置２のメインキャリアの制御チャネル領域３１０における連続する位置に割当てる。例えば、制御チャネル割当て部１２１は、端末装置２ｂ宛の制御チャネル３１３ａ〜３１３ｃを割当てる場合、当該端末装置２ｂのサーチスペース３１２ａに、当該端末装置２ｂのメインキャリアに対応する制御チャネル３１３ａを割当てる。【００８７】
続いて、制御チャネル割当て部１２１は、メインキャリアの次に高い周波数帯域を持つコンポーネントキャリア３００ａに対応する制御チャネル３１３ｂを、サーチスペース３１２ｂ内ではなく、制御チャネル３１３ａに連続する位置に割当てる。また、制御チャネル割当て部１２１は、コンポーネントキャリア３００ｃに対応する制御チャネル３１３ｃを、制御チャネル３１３ｂに連続する位置に割当てる。この際、制御チャネル３１３ｂがサーチスペース３１２ａからはみ出る場合もあるが、制御チャネル割当て部１２１は、サーチスペース３１２に関係なく、各制御チャネル３１３ａ〜３１３ｃを制御チャネル領域３１０内に割当てる。【００８８】
一方、端末装置２ｂは、先ず、実施例１と同容に自装置のサーチスペース３１２ａ内で制御チャネルのデコードを行う。そして、データ割り当て用の制御チャネル３１３ａを検出すると、次に、この制御チャネル３１３ａに連続する位置にある制御チャネルのデコードを行う。【００８９】
このとき、各制御チャネル３１３のサイズは、最初に検出された制御チャネル３１３ａと同じと予め定めておいても良い。一般に、サーチスペース３１２の数が増えるほど、ブラインドデコードによる誤検出が増えてしまう。しかし、この方法により、制御チャネル３１３をサーチスペース３１２外に割り当てることも可能となるので、制御チャネル３１３の割り当て領域を増やしつつ、ブラインドデコードの誤検出確率を低減できる。【００９０】
また、検出済みの制御チャネル３１３に連続する位置には、別の制御チャネル３１３が存在する可能性が高い。したがって、端末装置２が制御チャネル３１３の検出を行う際の、制御チャネル３１３のあり／なしの閾値をありの可能性が高いことを前提に決めることにより(より信号レベルが低くても、制御チャネルありと判定することにより)、制御チャネル３１３の受信成功確率を高めることができる。
【実施例４】
【００９１】
実施例４は、メインの制御チャネルとサブの制御チャネルを設けて、メイン制御チャネルとサブ制御チャネルとでbit数を異ならせる。以下に、実施例４にかかるメイン制御チャネル及びサブ制御チャネルの構成について具体的に説明する。図１２は、実施例４にかかるメイン制御チャネル及びサブ制御チャネルに含まれる情報を示す図、図１３は、実施例４にかかる制御チャネルの割当て方法の一例を説明するための図である。なお、既に説明した構成と同じものについては同一の符号を付し、その説明を省略する。【００９２】
図１２に示すように、メイン制御チャネル３１４には、データチャネル割当て位置情報のほか、データチャネル受信に用いる全ての情報が含まれる。その他の情報としては、例えば、データのbit数、変調方式、再送情報、電力制御情報などである。また、サブ制御チャネル３１５ａ，３１５ｂには、データチャネル割当て情報のみが含まれる。そして、端末装置２は、メイン制御チャネル３１４に含まれるその他の情報を、サブ制御チャネル３１５ａ，３１５ｂの情報としても用いる。【００９３】
ここで、メイン制御チャネル３１４は、コンポーネントキャリア３００の制御チャネル領域３１０内において、端末装置２が最初に検出を行う位置に割当てる。これにより、端末装置２は、最初にメイン制御チャネル３１４を検出し、このメイン制御チャネル３１４に含まれるその他の情報を、その後検出するサブ制御チャネル３１５ａ，３１５ｂに流用する。【００９４】
上述してきたように、実施例４によれば、サブ制御チャネル３１５には、データチャネル割当て位置情報のみを含ませ、メイン制御チャネル３１４に含まれるその他の情報をサブ制御チャネル３１５に流用することにより、制御チャネルのトータルでのbit数を低減できる。【００９５】
また、例えば、メイン制御チャネル３１４のサイズをサブ制御チャネル３１５のサイズの２倍と予め決めておくことにより、図１３に示すように、制御チャネル領域３１０における連続した位置にメイン制御チャネル３１４とサブ制御チャネル３１５を割当てることができる。これにより、実施例３と同様の効果を得ることができる。
【実施例５】
【００９６】
上述した実施例１〜４は、制御チャネル領域識別子３１１が各コンポーネントキャリア３００で同じ値を示していることが予め決まっているとした。この方法は、端末装置２の動作が単純になる点で有効であるが、制御チャネル領域３１０のサイズをコンポーネントキャリア３００ごとに調整することはできない。そのため、送りたい制御チャネルが少ないコンポーネントキャリア３００には無駄な領域ができてしまい、周波数利用効率を損なう。そこで実施例５では、コンポーネントキャリア３００間で、制御チャネル領域３１０のサイズを変えることとした。【００９７】
以下に、実施例５にかかる制御チャネル領域の設定方法について具体的に説明する。図１４は、実施例５にかかる基地局の構成を示すブロック図、図１５は、実施例５にかかる制御チャネル領域の設定方法を説明するための図である。なお、既に説明した構成と同じものについては同一の符号を付し、その説明を省略する。【００９８】
本実施例において、基地局１の制御部１２は、図１４に示すように、領域設定部１２２を有する。領域設定部１２２は、制御チャネル領域３１０のサイズをコンポーネントキャリア３００ごとに設定する。特に、本実施例において、領域設定部１２２は、メインキャリア以外のコンポーネントキャリア３００の制御チャネル領域のサイズを、メインキャリアの制御チャネル領域３１０のサイズよりも小さくなるように設定する。【００９９】
具体的には、各コンポーネントキャリア３００の制御チャネル領域３１０のサイズは、複数段階で変更可能となっており、領域設定部１２２は、メインキャリア以外のコンポーネントキャリア３００の制御チャネル領域３１０は、この複数段階のうちの最小値とする。【０１００】
例えば、図１５に示すように、コンポーネントキャリア３００ｂをメインキャリアとする場合、コンポーネントキャリア３００ａに対応する制御チャネルは、メインキャリアであるコンポーネントキャリア３００ｂの制御チャネル領域３１０ｂに割当てられる。そのため、コンポーネントキャリア３００ａの制御チャネル領域３１０ａのサイズは、コンポーネントキャリア３００ｂの制御チャネル領域３１０ｂよりも小さくて済む。【０１０１】
このように、メインキャリア以外のコンポーネントキャリア３００の制御データチャネルの領域のサイズを最小値とすることにより、無駄な領域を低減できる。また、メインキャリア以外のコンポーネントキャリア３００のデータチャネル領域３２０を広くすることができるため、周波数利用効率が高まる。
【実施例６】
【０１０２】
実施例６では、制御チャネルが割当てられていないコンポーネントキャリア３００の制御チャネル領域３１０のサイズとして、各制御チャネル領域３１０が取り得るサイズの最大値が選択されると仮定してデータチャネル領域を決定する。以下に、実施例６にかかる制御チャネル領域３１０の設定方法を具体的に説明する。図１６は、実施例６にかかる制御チャネル領域の設定方法を説明するための図である。なお、既に説明した構成と同じものについては同一の符号を付し、その説明を省略する。【０１０３】
実施例６において、基地局１のキャリア決定部１２０は、メインキャリア以外のコンポーネントキャリア３００の制御チャネル領域３１０のサイズが、各制御チャネル領域３１０が取り得るサイズのうち最大のサイズに設定されているものとして、各コンポーネントキャリア３００のデータチャネル領域３２０におけるデータチャネルの割当て位置を決定する。【０１０４】
例えば、図１６に示すように、コンポーネントキャリア３００ｂがメインキャリアであるとき、このコンポーネントキャリア３００ｂの制御チャネル領域３１０ｂのサイズは、制御チャネル領域識別子３１１により識別される。一方、コンポーネントキャリア３００ａ，３００ｃの制御チャネル領域３１０ａ，３１０ｃのサイズは、各制御チャネル領域３１０が取り得るサイズのうち最大のサイズに設定されているものとして設定される。【０１０５】
このとき、コンポーネントキャリア３００ａ、３００ｃの制御チャネル領域３１０ａ，３１０ｃのサイズは、実際上は、設定されたサイズよりも小さい可能性が高い。そのため、例えば、コンポーネントキャリア３００ａをメインキャリアとする端末装置２ａに対してコンポーネントキャリア３００ａのみを用いてデータ送信を行う場合、端末装置２ａ宛の制御チャネルのサイズに応じて制御チャネル領域４１０のサイズを決定することができ、周波数利用効率を高めることができる。
【実施例７】
【０１０６】
以下、実施例７にかかる制御チャネル領域３１０の設定方法を具体的に説明する。図１７は、実施例７にかかる制御チャネル領域の設定方法を説明するための図である。なお、既に説明した構成と同じものについては同一の符号を付し、その説明を省略する。実施例７では、メインキャリアと同サイズの制御チャネル領域３１０がその他のコンポーネントキャリア３００にも割当てられていると仮定して、データチャネルの割当てを行う。【０１０７】
本実施例において、キャリア決定部１２０は、メインキャリア以外のコンポーネントキャリア３００の制御チャネル領域３１０のサイズが、メインキャリアの制御チャネル領域３１０のサイズと同じであるとして、各コンポーネントキャリア３００のデータチャネル領域におけるデータチャネルの割当て位置を決定する。【０１０８】
例えば、図１７に示すように、コンポーネントキャリア３００ｂがメインキャリアであるとき、このコンポーネントキャリア３００ｂの制御チャネル領域３１０ｂのサイズは、制御チャネル領域識別子３１１により識別される。一方、コンポーネントキャリア３００ａ，３００ｃの制御チャネル領域３１０ａ，３１０ｃのサイズは、コンポーネントキャリア３００ｂの制御チャネル領域３１０ｂのサイズと同じとして設定される。【０１０９】
これにより、例えば、コンポーネントキャリア３００ａをメインキャリアとする端末装置２ａに対してコンポーネントキャリア３００ａのみを用いてデータ送信を行う場合、端末装置２ａ宛の制御チャネルのサイズに応じて制御チャネル領域４１０のサイズを決定することができ、周波数利用効率を高めることができる。しかも、メインキャリア以外のコンポーネントキャリア３００の制御チャネル領域３１０のサイズは、メインキャリアの制御チャネル領域３１０のサイズよりも小さい可能性が高い。そのため、実施例６のようにこれら制御チャネル領域３１０のサイズを最大値であると仮定しなくても良く、その分、データチャネル領域として使用することができる。
【実施例８】
【０１１０】
以下、実施例８にかかる制御チャネル領域３１０の設定方法を具体的に説明する。図１８は、実施例８にかかる制御チャネル領域の設定方法を説明するための図である。【０１１１】
実施例８において、各コンポーネントキャリア３００は、独立に制御チャネル領域３１０を設定し、残りの部分をデータチャネル領域３２０とする。具体的には、図１８に示すように、各コンポーネントキャリア３００ａ〜３００ｃの制御チャネル領域３１０ａ〜３１０ｃには、それぞれ制御チャネル領域識別子３１１ａ〜３１１ｃが割当てられている。【０１１２】
ここで、本実施例にかかる端末装置２の具体的動作について説明する。図１９は、実施例８にかかる端末装置２の処理手順の一例を示すフローチャートである。なお、本実施例にかかる端末装置２の処理手順において、ステップＳ７６以外の処理については、図９に示す、実施例１にかかる端末装置２の処理手順と同様であり、その説明を省略する。【０１１３】
図１９に示すように、ステップＳ７５において、各制御チャネルに対応するコンポーネントキャリア３００を特定すると、端末装置２の制御部２４は、各コンポーネントキャリア３００の制御チャネル領域３１０に割当てられた制御チャネル領域識別子３１１を解読する（ステップＳ７６）。これにより、端末装置２は、各コンポーネントキャリア３００の制御チャネル領域３１０のサイズを識別することができる。【０１１４】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。【０１１５】
例えば、上述してきた実施例１〜８においては、主にダウンリンクデータチャネルの割り当てについて説明したが、アップリンクのデータチャネルの割り当てについても全く同様である。
【図１】
2010050036.tif 000003
【図２】
2010050036.tif 000004
【図３】
2010050036.tif 000005
【図４】
2010050036.tif 000006
【図５】
2010050036.tif 000007
【図６】
2010050036.tif 000008
【図７】
2010050036.tif 000009
【図８】
2010050036.tif 000010
【図９】
2010050036.tif 000011
【図１０】
2010050036.tif 000012
【図１１】
2010050036.tif 000013
【図１２】
2010050036.tif 000014
【図１３】
2010050036.tif 000015
【図１４】
2010050036.tif 000016
【図１５】
2010050036.tif 000017
【図１６】
2010050036.tif 000018
【図１７】
2010050036.tif 000019
【図１８】
2010050036.tif 000020
【図１９】
2010050036.tif 000021
【図２０】
2010050036.tif 000022
【図２１】
2010050036.tif 000023
【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
データチャネルが割当てられるデータチャネル領域と、制御チャネルが割り当てられる制御チャネル領域とを有する帯域を複数用いて端末装置との間で無線データ通信を行う基地局において、
複数の前記帯域のうちのいずれかの帯域における制御チャネル領域内であって、前記端末装置に対して割り当てるデータチャネルが属する帯域に応じた位置に、前記端末装置宛の制御チャネルを割当てる制御チャネル割当て部と、
前記制御チャネル割当て部により割当てられた位置で前記制御チャネルを前記端末装置へ送信する制御チャネル送信部と
を備えることを特徴とする基地局。
【請求項２】
前記制御チャネル割当て部は、前記端末装置宛の制御チャネルを、当該端末装置による各前記制御チャネルの検出順序が各前記制御チャネルに対応する帯域の周波数帯域の順序と一致するように、複数の前記帯域のうちのいずれかの帯域における制御チャネル領域に割当てることを特徴とする請求項１に記載の基地局。
【請求項３】
前記制御チャネル割当て部は、各前記制御チャネルに対応する帯域の周波数帯域の順序を、前記端末装置宛の制御チャネルが割当てられる帯域を起点とした各前記帯域の周波数帯域の昇順又は降順とすることを特徴とする請求項２に記載の基地局。
【請求項４】
前記制御チャネル割当て部は、各前記データチャネルに対応する複数の制御チャネルを、前記端末装置宛の制御チャネルが割当てられる帯域の制御チャネル領域における連続する位置に割当てることを特徴とする請求項２に記載の基地局。
【請求項５】
データチャネルが割当てられるデータチャネル領域と、制御チャネルが割当てられる制御チャネル領域とを有する帯域を複数用いて基地局との間で無線データ通信を行う端末装置において、
自装置宛の制御チャネルが割当てられる帯域の制御チャネル領域に割当てられた制御チャネルを前記基地局から受信する制御チャネル受信部と、
前記制御チャネル受信部により受信した制御チャネルの前記制御チャネル領域における割当て位置に基づき、当該制御チャネルに対応するデータチャネルが割当てられた帯域を特定する帯域特定部と、
前記帯域特定部により特定した帯域のデータチャネル領域における、前記制御チャネルにより示される前記データチャネルの割当て位置において当該データチャネルを受信するデータチャネル受信部と
を有することを特徴とする端末装置。
【請求項６】
前記制御チャネル受信部は、前記制御チャネルを受信すると、当該制御チャネルの割当て位置に連続する割当て位置に他の制御チャネルが割当てられていると判定し、当該割当て位置において制御チャネルの受信を行うことを特徴とする請求項５に記載の端末装置。
【請求項７】
データチャネルが割当てられるデータチャネル領域と、制御チャネルが割当てられる制御チャネル領域とを有する帯域を複数用い、基地局と端末装置との間で無線データ通信を行う場合における、前記制御チャネル領域への前記制御チャネル割当て方法であって、
前記基地局が、複数の前記帯域のうちのいずれかの帯域における制御チャネル領域内であって、前記端末装置に対して割り当てるデータチャネルが属する帯域に応じた位置に、前記端末装置宛の制御チャネルを割当てる工程を含むことを特徴とする制御チャネル割当て方法。
【請求項８】
データチャネルが割当てられるデータチャネル領域と、制御チャネルが割当てられる制御チャネル領域とを有する帯域を複数用いて端末装置との間で無線データ通信を行う基地局であって、
前記制御チャネル領域のサイズを各前記帯域ごとに設定する領域設定部を備えることを特徴とする基地局。
【請求項９】
複数の前記帯域のうち、一の端末装置宛の制御チャネルが割当てられる帯域を当該端末装置と関連付けて記憶する記憶部を有し、
前記領域設定部は、前記端末装置宛の制御チャネルが割当てられる帯域以外の帯域の制御チャネル領域のサイズを、前記端末装置宛の制御チャネルが割当てられる帯域の制御チャネル領域のサイズよりも小さくなるように設定することを特徴とする請求項８に記載の基地局。
【請求項１０】
データチャネルが割当てられるデータチャネル領域と、制御チャネルが割当てられる制御チャネル領域とを有する帯域を複数用い、基地局と複数の端末装置との間で無線データ通信を行う場合における、前記制御チャネル領域の領域サイズ設定方法であって、
前記基地局が、前記制御チャネルのサイズを各前記帯域ごとに設定する工程を含むことを特徴とする領域サイズ設定方法。
【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
データチャネルが割当てられるデータチャネル領域と、制御チャネルが割り当てられる制御チャネル領域とを有する帯域を複数用いて端末装置との間で無線データ通信を行う基地局において、
複数の前記帯域のうちのいずれかの帯域における制御チャネル領域内であって、前記端末装置に対して割り当てるデータチャネルが属する帯域に応じた位置に、前記端末装置宛の制御チャネルを割当てる制御チャネル割当て部と、
前記制御チャネル割当て部により割当てられた位置で前記制御チャネルを前記端末装置へ送信する制御チャネル送信部と
を備えることを特徴とする基地局。
【請求項２】
前記制御チャネル割当て部は、前記端末装置宛の制御チャネルを、当該端末装置による各前記制御チャネルの検出順序が各前記制御チャネルに対応する帯域の周波数帯域の順序と一致するように、複数の前記帯域のうちのいずれかの帯域における制御チャネル領域に割当てることを特徴とする請求項１に記載の基地局。
【請求項３】
前記制御チャネル割当て部は、各前記制御チャネルに対応する帯域の周波数帯域の順序を、前記端末装置宛の制御チャネルが割当てられる帯域を起点とした各前記帯域の周波数帯域の昇順又は降順とすることを特徴とする請求項２に記載の基地局。
【請求項４】
前記制御チャネル割当て部は、各前記データチャネルに対応する複数の制御チャネルを、前記端末装置宛の制御チャネルが割当てられる帯域の制御チャネル領域における連続する位置に割当てることを特徴とする請求項２に記載の基地局。
【請求項５】
データチャネルが割当てられるデータチャネル領域と、制御チャネルが割当てられる制御チャネル領域とを有する帯域を複数用いて基地局との間で無線データ通信を行う端末装置において、
自装置宛の制御チャネルが割当てられる帯域の制御チャネル領域に割当てられた制御チャネルを前記基地局から受信する制御チャネル受信部と、
前記制御チャネル受信部により受信した制御チャネルの前記制御チャネル領域における割当て位置に対応する、データチャネルが割当てられた帯域のデータチャネル領域において、前記制御チャネルにより示される前記データチャネルの割当て位置のデータチャネルを受信するデータチャネル受信部と
を有することを特徴とする端末装置。
【請求項６】
前記制御チャネル受信部は、前記制御チャネルを受信すると、当該制御チャネルの割当て位置に連続する割当て位置に他の制御チャネルが割当てられていると判定し、当該割当て位置において制御チャネルの受信を行うことを特徴とする請求項５に記載の端末装置。
【請求項７】
データチャネルが割当てられるデータチャネル領域と、制御チャネルが割当てられる制御チャネル領域とを有する帯域を複数用い、基地局と端末装置との間で無線データ通信を行う場合における、前記制御チャネル領域への前記制御チャネル割当て方法であって、
前記基地局が、複数の前記帯域のうちのいずれかの帯域における制御チャネル領域内であって、前記端末装置に対して割り当てるデータチャネルが属する帯域に応じた位置に、前記端末装置宛の制御チャネルを割当てる工程を含むことを特徴とする制御チャネル割当て方法。
【請求項８】
データチャネルが割当てられるデータチャネル領域と、制御チャネルが割当てられる制御チャネル領域とを有する帯域を複数用いて端末装置との間で無線データ通信を行う基地局であって、
前記制御チャネル領域のサイズを各前記帯域ごとに設定する領域設定部を備えることを特徴とする基地局。
【請求項９】
複数の前記帯域のうち、一の端末装置宛の制御チャネルが割当てられる帯域を当該端末装置と関連付けて記憶する記憶部を有し、
前記領域設定部は、前記端末装置宛の制御チャネルが割当てられる帯域以外の帯域の制御チャネル領域のサイズを、前記端末装置宛の制御チャネルが割当てられる帯域の制御チャネル領域のサイズよりも小さくなるように設定することを特徴とする請求項８に記載の基地局。
【請求項１０】
データチャネルが割当てられるデータチャネル領域と、制御チャネルが割当てられる制御チャネル領域とを有する帯域を複数用い、基地局と複数の端末装置との間で無線データ通信を行う場合における、前記制御チャネル領域の領域サイズ設定方法であって、
前記基地局が、前記制御チャネルのサイズを各前記帯域ごとに設定する工程を含むことを特徴とする領域サイズ設定方法。
【国際調査報告】
2010050036.tif 000024
2010050036.tif 000025